(57)【要約】【課題】製造コストの上昇を抑制しつつ、アナログメータとの組み合わせレイアウトの自由度を向上させて、表示する情報量に応じた液晶表示装置の大きさを設定することができる車両用表示装置を提供する。【解決手段】拡散板１８の裏面側には、液晶用ＬＥＤ２０からの照光を、後側液晶表示ガラス部材１６ｃの裏面側まで導く透明ガイドライト部材１９が設けられている。この透明ガイドライト部材１９には、上縁部１９ａから、文字盤用ＬＥＤ２１と前記文字盤部１７ａとの間に介在して、文字用ＬＥＤ２１からの照光を拡散させる照光拡散部としての拡散延設部１９ｈが一体となるように上方に向けて突設形成されている。【選択図】  図１
2004219737.tif 000002
【特許請求の範囲】
【請求項１】
液晶表示を行う液晶表示ガラス部材が設けられた液晶表示装置と、該液晶表示ガラス部材を透過する透過光を照光する液晶バックライト光源と、該液晶バックライト光源からの照光を、前記液晶表示ガラス部材の裏面側まで導く透明ガイドライト部材とを有すると共に、前記液晶表示装置の表面側に、少なくとも一部重複するように設けられた延長目盛り部を有する目盛り部を設けた文字盤部からなるメータ目盛表示部と、該文字盤部の裏面側に設けられて、前記文字盤部の表面側に透過光を照光する文字盤バックライト光源とを有する車両用表示装置であって、
前記液晶表示ガラス部材の端面のうち少なくとも一部が、正面視で前記文字盤部内に位置すると共に、前記透明ガイドライト部材の一部には、前記液晶バックライト光源からの照光が、直接、該液晶表示ガラス部材の端面を照射しないように該照光を拡散させる照光拡散部が設けられていることを特徴とする車両用表示装置。
【請求項２】
前記照光拡散部は、前記透明ガイドライト部材から一体となるように突設されて、前記文字盤バックライト光源と前記文字盤部との間に介在する拡散延設部であることを特徴とする請求項１記載の車両用表示装置。
【請求項３】
前記照光拡散部は、透明ガイドライト部材の一部に施され、前記液晶バックライト光源からの照光が、直接、前記液晶表示ガラス部材の端面を照射しないように拡散させる粗面加工処理であることを特徴とする請求項１又は２記載の車両用表示装置。
【発明の詳細な説明】
【０００１】
【発明の属する技術分野】
この発明は、主に、自動二輪等、車両に搭載される車両用表示装置に関する。
【０００２】
【従来の技術】
従来、図１０に示すような車両に搭載される車両用表示装置が知られている（例えば、特許文献１参照）。
【０００３】
まず、構成から説明すると、このメータ１は、複数のメータを１つのクラスタ１ａ内に設けたコンビネーションメータで、車速等の測定値をアナログ表示するための指針３を有するアナログメータ部２が設けられている。
【０００４】
このアナログメータ部２の目盛り部４が設けられた文字盤部５には、略長方形の窓部５ａ，５ｂが形成されている。
【０００５】
そして、走行距離等の情報をデジタル表示する液晶表示装置６，７が、これらの窓部５ａ，５ｂ内側に埋設されている。
【０００６】
このように構成された従来のメータ１では、前記文字盤部５の裏面側に設けられた図示省略の文字盤バックライト光源が、この文字盤部５の表面側に向けて、前記目盛り部４の半透明の文字及びゲージを透過する透過光を照射する。
【０００７】
また、前記液晶表示装置６，７の裏面側に設けられた図示省略の液晶バックライト光源が、前記液晶表示装置のガラス部分を透過する透過光を照光することにより、このメータの照明が行われる。
【０００８】
【特許文献１】
特開平１１−２７１１００号公報（図２）
【０００９】
【発明が解決しようとする課題】
しかしながら、前記従来の車両用のメータ１では、図中二点鎖線で示すように、液晶表示装置７の表示領域を拡大して前記目盛り部４を跨ぐように水平方向に延長しようとすると、前記文字盤部５の裏面側に設けられた文字盤バックライト光源の照光が、例えば、図中「０」等の文字及び対応するゲージ部分周縁等に届かないといった問題があった。
【００１０】
また、前記液晶表示装置７の裏面側に設けられた液晶バックライト光源を用いて、この目盛り部４の前記「０」等の文字及び対応するゲージ部分を照明しようとすると、液晶表示装置７のガラス部分端面７ａを通過する照明光によって、前記文字盤部５及び液晶表示装置の表示面の図中一点鎖線で示される領域８に、他の部分よりも明るい部分や暗い部分が現れて、ムラとなってしまうといった問題があった。
【００１１】
更に、図中破線で示す領域９略全面に、面積の大きな液晶表示装置を設けて、液晶表示装置の液晶バックライトのみを用いて、明暗のムラを無くすことも考えられるが、この場合、表示に用いない液晶表示装置の面積の割合が大きくなり、製造コストが、表示される情報量に比して増大してしまうといった問題があった。
【００１２】
そこで、本発明の目的は、製造コストの上昇を抑制しつつ、アナログメータとの組み合わせレイアウトの自由度を向上させて、表示する情報量に応じた液晶表示装置の大きさを設定することができる車両用表示装置を提供することにある。
【００１３】
【課題を解決するための手段】
本発明は、かかる問題点に着目してなされたもので、請求項１に係る発明では、液晶表示を行う液晶表示ガラス部材が設けられた液晶表示装置と、該液晶表示ガラス部材を透過する透過光を照光する液晶バックライト光源と、該液晶バックライト光源からの照光を、前記液晶表示ガラス部材の裏面側まで導く透明ガイドライト部材とを有すると共に、前記液晶表示装置の表面側に、少なくとも一部重複するように設けられた延長目盛り部を有する目盛り部を設けた文字盤部からなるメータ目盛表示部と、該文字盤部の裏面側に設けられて、前記文字盤部の表面側に透過光を照光する文字盤バックライト光源とを有する車両用表示装置であって、前記液晶表示ガラス部材の端面のうち少なくとも一部が、正面視で前記文字盤部内に位置すると共に、前記透明ガイドライト部材の一部には、前記液晶バックライト光源からの照光が、直接、該液晶表示ガラス部材の端面を照射しないように該照光を拡散させる照光拡散部が設けられている車両用表示装置を特徴としている。
【００１４】
このように構成された請求項１記載のものでは、前記透明ガイドライト部材に設けられた照光拡散部が、前記文字盤バックライト光源と前記文字盤部との間に介在して、前記文字盤バックライト光源からの照光を拡散させる。
【００１５】
このため、前記液晶表示ガラス部材の端面が、正面視で前記文字盤部内に位置しても、照光が、該端面に入射する前に該照光拡散部で拡散されているので、通過して、前記文字盤部に到達する照光は、均一化されて明暗のムラの発生が抑制される。
【００１６】
従って、アナログメータとの組み合わせレイアウトの自由度が向上されて、表示する情報量に応じた液晶表示装置の大きさに設定することが出来、製造コストの上昇が抑制される。
【００１７】
また、請求項２に記載されたものでは、前記照光拡散部は、前記透明ガイドライト部材から一体となるように突設されて、前記文字盤バックライト光源と前記文字盤部との間に介在する拡散延設部である請求項１記載の車両用表示装置を特徴としている。
【００１８】
このように構成された請求項２記載のものでは、前記拡散延設部が、前記透明ガイドライト部材から一体となるように突設されて、前記文字盤バックライト光源と前記文字盤部との間に介在して、前記端面に入射する前に、該拡散延設部で拡散される。
【００１９】
更に、請求項３に記載されたものでは、前記照光拡散部は、透明ガイドライト部材の一部に施され、前記液晶バックライト光源からの照光が、直接、前記液晶表示ガラス部材の端面を照射しないように拡散させる粗面加工処理である請求項１又は２記載の車両用表示装置を特徴としている。
【００２０】
このように構成された請求項３記載のものでは、前記透明ガイドライト部材の一部に施された粗面加工処理が、前記液晶バックライト光源からの照光を、直接、前記液晶表示ガラス部材の端面に対して、照射しないように拡散させる。
【００２１】
【発明の実施の形態１】
図１乃至図５は、この発明の実施の形態１の車両用表示装置を示すものである。
なお、前記従来例と同一乃至均等な部分については、同一符号を付して説明する。
【００２２】
まず、構成から説明すると、この実施の形態１の車両用表示装置では、二輪車等の車両に搭載されるメータ１０が、ハウジング１２及び窓部にガラスカバー１３ａが嵌設されてなるケース枠体１３によって構成された筐体１１と、この筐体１１内に収納される基板１４，液晶表示装置１６及び、この液晶表示装置１６の上側に隣接して設けられるアナログメータ１７等とを主に有して構成されている。
【００２３】
このうち、アナログメータ１７のメータ目盛り表示部としての文字盤部１７ａには、表面に目盛り部１７ｄが設けられている。
【００２４】
また、前記基板１４には、前記アナログメータ１７の指針１７ｂを動かすムーブメント１７ｃが設けられている。
【００２５】
更に、前記液晶表示装置１６には、液晶表示を行う液晶文字列１６ａが、前，後側液晶表示ガラス部材１６ｂ，１６ｃによって挟持されると共に、これらの前，後側液晶表示ガラス部材１６ｂ，１６ｃの周縁の合わせ面がエポキシ樹脂によって封止されている。
【００２６】
この実施の形態１では、前，後側液晶表示ガラス部材１６ｂ，１６ｃを合わせた厚みを約２．２ｍｍとしている。
【００２７】
そして、前側液晶表示ガラス部材１６ｂの表面側には、一部に切欠部１６ｅを有する偏光板１６ｄが設けられている。この切欠部１６ｅは、前記文字盤部１７ａの目盛り部１７ｄのうち、前記液晶表示装置１６の表面側に少なくとも一部重複するように延設される延設目盛り部１７ｅの形状に沿わせて切り欠かれている。この実施の形態１の延設目盛り部１７ｅは、図２に示すように、「０」「１」「２」等の文字と、この文字に対応するゲージ部分の表示が記載されている箇所である。
【００２８】
更に、後側液晶表示ガラス部材１６ｃの裏面側にも一部に切欠部１６ｇを有する偏光板１６ｆが設けられている。この切欠部１６ｇも、前記延設目盛り部１７ｅの形状に沿わせて切り欠かれている。
【００２９】
また、前記基板１４には、前記液晶表示装置１６の前記液晶表示ガラスを透過する透過光を照光する液晶バックライト光源としての液晶用ＬＥＤ２０…が、所定間隔を置いて、上，下で交互となるように水平方向に沿って複数設けられている。
【００３０】
更に、前記偏光板１６ｆの裏面側には、拡散板１８が貼設されている。この拡散板１８は、主に、透明なポリカーボネートシートによって構成されていて、前記液晶用ＬＥＤ２０に対応する部分を白色印刷によって着色すると共に、前記液晶用ＬＥＤ２０から離れた部分を透明として、この着色された部分と透明部分との中間部分には、必要に応じてグラディエーション印刷が施されている。
【００３１】
そして、この拡散板１８の裏面側には、前記液晶用ＬＥＤ２０からの照光を、前記後側液晶表示ガラス部材１６ｃの裏面側まで導く透明ガイドライト部材１９が設けられている。
【００３２】
この透明ガイドライト部材１９には、図１に示すように、前記後側液晶表示ガラス部材１６ｃに沿って略長方形板状に形成されたガイド板本体１９ａが、設けられている。
【００３３】
このガイド板本体１９ａの上縁部１９ｂには、前記液晶用ＬＥＤ２０…と対向する入光端面１９ｃ…を各々設けた複数の導光脚部１９ｄ…が、長手方向に所定間隔をおいて各々一体となるように上方へ向けて突設形成されている。
【００３４】
また、この導光脚部１９ｄの基端部上面側には、前記入光端面１９ｃから入射された照光を、前記ガイド板本体１９ａ内方向に反射させる反射面部１９ｅが形成されている。
【００３５】
更に、このガイド板本体１９ａでは、前記上縁部１９ｂから下縁部１９ｆに向けて板厚が薄くなるように徐変されていると共に、裏面側には、粗面加工を施すことによって、前記前，後側液晶表示ガラス部材１６ｂ，１６ｃの表示面積に合わせた領域Ｌに、粗面部１９ｇが、形成されている。
【００３６】
そして、この粗面部１９ｇによって、このガイド板本体１９ａ内に入射された照光を前記前，後側液晶表示ガラス１６ｂ，１６ｃ方向に向けて散乱させるように構成されている。
【００３７】
更に、このガイド板本体１９ａの上縁部１９ａからは、前記文字盤用ＬＥＤ２１と前記文字盤部１７ａとの間に介在して、前記文字用ＬＥＤ２１からの照光を拡散させる照光拡散部としての拡散延設部１９ｈが一体となるように上方に向けて突設形成されている。
【００３８】
この実施の形態１の拡散延設部１９ｈは、上端部１９ｉに向かうにつれて厚みが薄くなる略三角形の断面形状を呈すると共に、表面側側面１９ｊ及び裏面側側面１９ｋに粗面加工が施されている。
【００３９】
また、前記基板１４には、文字盤部１７ａの裏面側に設けられて、前記文字盤部１７ａの表面側に透過光を照射する文字盤バックライト光源としての文字盤用ＬＥＤ２１…が、前記指針１７ｂの回転中心から半径方向に略等距離となるように周上で所定間隔を置いて設けられている。
【００４０】
そして、この文字盤用ＬＥＤ２１…のうち、前記文字盤部１７ａの延設目盛り部１７ｅに近接した文字盤用ＬＥＤ２１からの照光が、前記拡散延設部１９ｈを通過する際に拡散されることにより、前記前，後側液晶表示ガラス部材１６ｂ，１６ｃの端面１６ｈ，１６ｉに入射する照光が拡散しているように構成されている。
【００４１】
これらの前記前，後側液晶表示ガラス部材１６ｂ，１６ｃ、偏光板１６ｄ，１６ｆ、拡散板１８及び前記透明ガイドライト部材１９は、枠体１６ｊを介して、液晶保持部材１６ｋに順次装着されると共に、前面部１６ｎに形成された左，右窓部１６ｏ，１６ｐから液晶表示が視認可能となるように、保持される。
【００４２】
そして、この液晶保持部材１６ｋに設けられた係止脚部１６ｍ…が、基板１４に係着されることにより、前記液晶表示装置１６が、前記基板１４の下辺部に沿って固定されるように構成されている。
【００４３】
また、この実施の形態１の前記液晶保持部材１６ｋ及び前記枠体１６ｊには、前記左窓部１６ｏ及び右窓部１６ｐの間に、光導通凹部１６ｑ及び１６ｒが設けられていて、前記液晶用ＬＥＤ２０の照光を、この光導通凹部１６ｑ及び１６ｒを介して、前記延設目盛り部１７ｅ裏面側まで、導くように開口形成されている。
【００４４】
更に、この実施の形態１では、前記液晶保持部材１６ｋの上面部には、この光導通凹部１６ｑと連設されて、前記拡散延設部１９ｈを挿通して外側に向けて突設させる上側開口部１６ｓが形成されている。
【００４５】
次に、この実施の形態１の車両用表示装置の作用について説明する。
【００４６】
例えば、図８に示すように、前記液晶用ＬＥＤ２０からの照光が、前記端面１６ｈ，１６ｉで反射及び屈折されることにより、前記文字盤部１７ａでは、領域Ａを普通とすると、領域Ｂは明るく、領域Ｃは普通、領域Ｄは暗くなると共に、領域Ｅは普通といった輝度勾配を有する。
【００４７】
このような明度のムラは、図７に示すように、ガラス内から空気中に入射する光の臨界角度は、図６に示す空気中からガラスに入射する光の場合と比して、比較的浅い角度で全反射を開始することから、領域Ｄに向かう照光が、略全反射して、領域Ｂの輝度を約２倍となると共に、領域Ｄでは、約０となることに基づいている。ここで、ガラスの屈折率を１．５としている。
【００４８】
また、図９に示すように、文字盤用ＬＥＤ２１からの照光は、前記端面１６ｈ，１６ｉ近傍で、反射及び屈折されることにより、前記文字盤部１７ａでは、領域Ａを普通とすると、領域Ｂは暗く、領域Ｃは普通といった輝度勾配を有する。
【００４９】
すなわち、前記端面１６ｈ，１６ｉから入光すると、前記前，後側液晶表示ガラス部材１６ｂ，１６ｃの表裏面で全反射して前記文字盤部１７ａには、到達しない。この領域Ｂの幅は、板厚ｔ＝２．２ｍｍであるので、略同幅と考えられて狭くなる。
【００５０】
この実施の形態１では、前記液晶用ＬＥＤ２０からの照光が、前記透明ガイドライト部材１９の導光脚部１９ｄに形成された入光端面１９ｃを介して入射されて、前記反射面部１９ｅによって、前記ガイド板本体１９ａ方向に反射される。
【００５１】
ガイド板本体１９ａ内に入射された照光は、前記領域Ｌの粗面部１９ｇによって乱反射されて、前記拡散板１８を介して、前記前，後側液晶表示ガラス部材１６ｂ，１６ｃの裏面側に略均等な照光を照射する。
【００５２】
このため、前記液晶表示装置１６では、均質なバックライト照光が得られて、前記液晶文字列１６ａの視認性が良好である。
【００５３】
また、前記アナログメータ１７では、文字盤部１７ａの裏面側に設けられた前記文字盤用ＬＥＤ２１…が、前記文字盤部１７ａを裏面側から照光して、文字盤部１７ａのバックライト照明となる。
【００５４】
この際、前記文字盤用ＬＥＤ２１…のうち、前記延設目盛り部１７ｅに近接した文字盤用ＬＥＤ２１は、前記前，後側液晶表示ガラス部材１６ｂ，１６ｃの端面１６ｈ，１６ｉ方向へも照光を行うが、これらの照光は、前記透明ガイドライト部材１９に設けられた拡散延設部１９ｈによって遮られて、直接、端面１６ｈ，１６ｉ近傍に入光することがない。
【００５５】
そして、この拡散延設部１９ｈの表面側側面１９ｊ及び裏面側側面１９ｋに施された粗面加工によって、前記文字盤用ＬＥＤ２１の照光は拡散されてから、前記端面１６ｈ，１６ｉに入射すると共に、前記文字盤部１７ａの裏面側に到達する。
【００５６】
このように、前記拡散延設部１９ｈが、前記文字用ＬＥＤ２１と前記文字盤部１７ａとの間に介在して、前記文字盤用ＬＥＤ２１からの照光を拡散させる。
【００５７】
また、この実施の形態１では、この拡散延設部１９ｈが、前記端面１６ｈ，１６ｉと前記文字盤用ＬＥＤ２１との間に介在して、この文字盤用ＬＥＤ２１からの照光を拡散させる。
【００５８】
このため、前記前，後側液晶表示ガラス部材１６ｂ，１６ｃの端面１６ｈ，１６ｉが、正面視で前記文字盤部１７ａ内（図２中、数字「２」と「３」との間）に位置しても、照光が、この端面１６ｈ，１６ｉに入射する前に、拡散延設部１９ｈで拡散されているので、前，後側液晶表示ガラス部材１６ｂ，１６ｃを通過して、前記文字盤部１７ａに到達する照光は、均一化されて明暗のムラの発生が抑制される。
【００５９】
従って、表示する情報量に応じた液晶表示装置１６の大きさで車両用表示装置を構成出来るため、製造コストの上昇を抑制することが出来る。
【００６０】
更に、この実施の形態１では、液晶表示装置１６の表示領域を水平方向に拡大して前記延長目盛り部１７ｅを跨ぐように一つの液晶表示装置１６で表示できるので、延長目盛り部１７ｅの上，下にも、液晶文字列１６ａ，１６ａを配置出来る。このため、液晶表示装置１６の数量を増大させることなく、製造コストの上昇が抑制されると共に、レイアウトの自由度が向上する。
【００６１】
また、この実施の形態１では、前記拡散延設部１９ｈが、ガイド板本体１９ａの上縁部１９ａから一体となるように上方に向けて突設形成されている。このため、別部品で照光拡散部を有する部品を設ける場合に比して、部品点数が増大することが無いので、この点においても製造コストの上昇が抑制される。
【００６２】
以上、図面を参照して、本発明の実施の形態１の車両用表示装置を詳述してきたが、具体的な構成は、これらの実施の形態１に限らず、本発明の要旨を逸脱しない程度の設計的変更は、本発明に含まれる。
【００６３】
例えば、前記実施の形態１では、液晶バックライト光源として液晶用ＬＥＤ２０…を、前記文字盤バックライト光源として文字盤用ＬＥＤ２１…を用いるものを示して説明してきたが、特にこれに限らず、例えば、電球や蛍光灯、或いはこれらのＬＥＤとの混合によって構成される光源であってもよく、前記実施の形態１では、図１，図２中二点鎖線で示すように、前記液晶表示装置１６の裏面側に、液晶用ＬＥＤ２０を追加した構成としても良い。
【００６４】
また、前記実施の形態１の車両用表示装置では、前記拡散延設部１９ｈの表面側側面１９ｊ及び裏面側側面１９ｋに粗面加工が施されているが、特にこれに限らず、例えば、アクリル系の樹脂にチタンホワイト等の拡散顔料を混合した白色の拡散塗装が、前記表面側側面１９ｊ及び裏面側側面１９ｋに施されていても良く、何れか一方の側面に、ナシ地加工等の粗面加工或いは拡散塗装を施す等、この拡散塗装と前記粗面加工とが組み合わされていてもよい。
【００６５】
更に、これらの拡散塗装が、適宜グラディエーション塗装となっていてもよいことは、当然である。
【００６６】
【発明の効果】
上述してきたように、請求項１記載のものでは、前記透明ガイドライト部材に設けられた照光拡散部が、前記文字盤バックライト光源と前記文字盤部との間に介在して、前記文字盤バックライト光源からの照光を拡散させる。
【００６７】
このため、前記液晶表示ガラス部材の端面が、正面視で前記文字盤部内に位置しても、照光が、該端面に入射する前に該照光拡散部で拡散されているので、通過して、前記文字盤部に到達する照光は、均一化されて明暗のムラの発生が抑制される。
【００６８】
従って、アナログメータとの組み合わせレイアウトの自由度が向上されて、表示する情報量に応じた液晶表示装置の大きさに設定することが出来、製造コストの上昇が抑制される。
【００６９】
また、請求項２に記載されたものでは、前記拡散延設部が、前記透明ガイドライト部材から一体となるように突設されて、前記文字盤バックライト光源と前記文字盤部との間に介在して、前記端面に入射する前に、該拡散延設部で拡散される。
【００７０】
更に、請求項３に記載されたものでは、前記透明ガイドライト部材の一部に施された粗面加工処理が、前記液晶バックライト光源からの照光を、直接、前記液晶表示ガラス部材の端面に対して、照射しないように拡散させる。
【００７１】
従って、表示する情報量に応じた液晶表示装置の大きさで車両用表示装置を構成出来るため、製造コストの上昇を抑制することが出来る、という実用上有益な効果を発揮する。
【図面の簡単な説明】
【図１】本発明の実施の形態１の車両用表示装置で、要部の構成を説明する図２中Ａ−Ａ線に沿った位置での断面図である。
【図２】実施の形態１の車両用表示装置で、メータの正面図である。
【図３】実施の形態１の車両用表示装置で、全体の構成を説明する分解斜視図である。
【図４】実施の形態１の車両用表示装置で、液晶表示装置と光源との関係を説明するアナログメータの文字盤部を取り外した状態での基板と液晶表示装置との斜視図である。
【図５】実施の形態１の車両用表示装置で、液晶文字列を封止した前，後側液晶表示ガラス部材の斜視図である。
【図６】空気中からガラスに入射する光の入射角度と反射率との関係の一例を、相互に９０度異なる偏光Ｒｓ、Ｒｐでプロットして説明するグラフ図である。
【図７】ガラス内から空気中に入射する光の入射角度と反射率との関係の一例を、相互に９０度異なる偏光Ｒｓ、Ｒｐでプロットして説明するグラフ図である。
【図８】液晶用ＬＥＤを光源とした場合の文字盤表面の明暗ムラの発生を説明する模式図である。
【図９】文字盤用ＬＥＤを光源とした場合の文字盤表面の明暗ムラの発生を説明する模式図である。
【図１０】従来例の車両用表示装置で、全体の構成を説明する正面図である。
【符号の説明】
１０              メータ（車両用表示装置）
１６              液晶表示装置
１６ｈ，１６ｉ    端面
１７ａ            文字盤部（メータ目盛り表示部）
１７ｄ            目盛り部
１７ｅ            延設目盛り部
１９              透明ガイドライト部材
１９ｈ            拡散延設部
２０              液晶用ＬＥＤ（液晶バックライト光源）
２１              文字盤用ＬＥＤ（文字盤バックライト光源）
【図１】
2004219737.tif 000003
【図２】
2004219737.tif 000004
【図３】
2004219737.tif 000005
【図４】
2004219737.tif 000006
【図５】
2004219737.tif 000007
【図６】
2004219737.tif 000008
【図７】
2004219737.tif 000009
【図８】
2004219737.tif 000010
【図９】
2004219737.tif 000011
【図１０】
2004219737.tif 000012